(57)【要約】      （修正有）【課題】ディスクによらない共通の操作によって容易に情報を検索し、選択することが可能な新規の情報再生装置を提供する。【解決手段】記録媒体に記録されている番組に対応する記号を並べて画面に表示し、表示されている記号のいずれかを選択し、選択した記号の番組を構成する複数の代表画面を縮小拡大して前記画面に表示し、複数の代表画面のいずれかを選択して決定した代表画面のシーンを画面一杯に広げて再生する。【選択図】図１
2010102823.tif 000002
【特許請求の範囲】
【請求項１】
記録媒体に記録されている複数の番組に対応する記号、または番組を識別出来る識別子を画面に表示する手段と、
表示されている記号、または番組を識別出来る識別子を選択する手段と、
選択した記号、または番組を識別出来る識別子の番組を構成する複数の代表画面を任意の縮小拡大率で縮小拡大、または切出して前記画面に表示する手段と、
表示されている複数の代表画面のいずれかを選択する手段と、
選択してから決定した代表画面のシーンを画面一杯の大きさに変えて再生する手段とを備えてなることを特徴とする情報再生装置。
【請求項２】
番組に対応する記号を並べて画面に表示する手段は、画面中にタグを配置し、当該タグの中に前記記号を示す手段を含むことを特徴とする請求項１に記載の情報再生装置。
【請求項３】
前記縮小拡大、または切出した画面が動画再生されることを特徴とする請求項１ないし２に記載の情報再生装置。
【請求項４】
前記縮小拡大、または切出した画面が早送り再生されることを特徴とする請求項１ないし２に記載の情報再生装置。
【請求項５】
前記縮小拡大、または切出した画面が繰返し再生されることを特徴とする請求項１、２
、３ないし４に記載の情報再生装置。
【発明の詳細な説明】
【技術分野】
【０００１】
本発明は、媒体への映像情報の記録、または、媒体から映像情報を再生する装置に関する。
【背景技術】
【０００２】
映像情報を記録した媒体を再生するシステムとして、古くからのＶＴＲの他、記録媒体に１２ｃｍの径の光ディスクを用いるビデオＣＤ等があり、最近になって同じ径で記録容量を約７倍に高めた光ディスクを用いるＤＶＤが登場した。
【０００３】
ＤＶＤ再生装置において、見たい映像を先頭に表示する頭出しの操作は、例えば、記録されている番組（ＤＶＤでは「タイトル」という。以下、この種のものを「タイトル」ということとする。）のそれぞれに与えた番号、タイトルを構成する複数のシーン（ＤＶＤ
では「チャプタ」という。以下、この種のものを「チャプタ」ということとする。）のそ
れぞれに与えた番号及び映像の基本単位（コマ）であるフレームの番号の中から、見たい映像のタイトル番号、チャプタ番号及びフレーム番号を入力してディスク上の再生位置を定め、その位置から映像を再生することによって行なわれている（例えば、特開平７−３１２７３７号公報参照）。
【０００４】
また、複数の付帯情報（例えば、マルチアングルと云われる色々な角度から見た複数の画面、左右チャネル別の音声、日本語や英語等の言語など）が映像と共に同一の時間に記録されている場合、それらの付帯情報のどれを選ぶかは、再生条件の選択となる。再生条件の選択は、情報毎に画面を切換えながらその都度内容を確認するという操作で行なっていた。これらの付帯情報は、再生条件のメニューとしてディスクに前もって記録しておく場合がある（例えば、特開平８−２５１５３１号公報参照）。
【先行技術文献】
【特許文献】
【０００５】
【特許文献１】特開平７−３１２７３７号公報
【特許文献２】特開平８−２５１５３１号公報
【発明の概要】
【発明が解決しようとする課題】
【０００６】
上記の従来技術は、カラオケディスク等、ディスクの制作者が意図的に番号を意味付けし（例えば、曲目のそれぞれに番号を付す）、ディスクの添付資料等で番号とそれに対応
する意味が明示してある場合には有効である。しかし、そのような資料なしに任意に映像を検索しようとする場合、有効な選択手段が得られないため、ディスクの任意の位置にアクセスして検索することが困難という問題点があった。また、同一の時間にある複数の付帯情報を一覧することができず、選択に時間が掛かる問題点があった。更に、情報のメニューが前もって記録されている場合、情報の見せ方や選択の方法が番組制作者の意図によって異なり、ディスク毎にその方法を確認するという不便を避けることができなかった。
【０００７】
また、ストリーム(一繋がりのシーンの情報のことをストリームと云うものとする)の内容全体を把握することが困難であった。
【０００８】
本発明の目的は、従来技術の前記問題点を解決し、共通の操作によって容易に情報を検索し、再生画面によりストリーム全体、若しくは少なくとも一部の内容が把握できて、選択することが可能な新規の情報再生装置を提供することにある。
【課題を解決するための手段】
【０００９】
本発明の前記課題は、記録媒体に記録されている番組に対応する記号、または番組を識別出来る識別子を画面に表示する手段と、表示されている記号、または識別子を選択する手段と、選択した記号、または識別子の番組を構成する複数のシーンの代表画面を縮小拡大、または切出して前記画面中に表示する手段と、表示されている複数の代表画面のいずれかを選択する手段と、選択してから決定した代表画面のシーンを画面一杯の大きさに変えて再生する手段とを備えることによって効果的に解決することができる。また、複数の代表画面を表示した画面は、希望の画面を選択するための選択画面となる。
【００１０】
更にその縮小拡大、または切出した画面上にそのストリームを再生表示することにより
、そのストリームの全体、若しくは少なくとも一部の内容が把握できる。
【００１１】
なお、選択した記号の番組を構成する複数のシーンの代表画面を縮小拡大、または切出して前記画面中に表示する手段について、上記にて説明しているが、この縮小拡大率は任意とし、全く縮小拡大しないものも含むものとして、番組を構成する複数のシーンの代表画面を前記画面中に表示する手段とすることも出来る。
【００１２】
従って、縮小拡大率を任意として番組を構成する複数のシーンの代表画面を前記画面中に表示する手段においては、番組を構成するシーンの代表画面が相互に重なり合う表示とすることも出来る。
【００１３】
ところで、縮小拡大率を任意として番組を構成する複数のシーンの代表画面を前記画面中に表示する手段を用いた場合には、上記にて説明している選択してから決定した代表画面のシーンを画面一杯の大きさに変えて再生する手段が、必ずしも決定した代表画面のシーンを画面一杯の大きさに変えて再生しなくても良いものと出来る。
【００１４】
即ち、縮小拡大率の選択に基き画面一杯の大きさに既に変えて再生されている番組を構成するシーンの代表画面については、選択してから決定した代表画面のシーンを画面一杯の大きさに変えて再生する必要が無い。
【００１５】
また、縮小拡大率を任意として、番組を構成するシーンの代表画面が相互に重なり合う表示とする手段において、選択してから決定した代表画面のシーンを画面一杯の大きさに変えて再生する手段を用いることが出来る。
【００１６】
さらに、上記にて説明している選択してから決定した代表画面のシーンを画面一杯の大きさに変えて再生する手段が、必ずしも決定した代表画面のシーンを画面一杯の大きさに変えるものではなく、選択してから決定した代表画面の縮小拡大率を他の縮小拡大率に変えて再生するものにも出来る。
【００１７】
なお、番組を構成する複数のシーンの代表画面が表示される前記画面の大きさは、任意であるものとし、表示手段にて表示される最大の大きさ以上とすることも出来る。
【００１８】
このような手段を採用することによって、番組を素早く切り替えながらその内容を一覧することが可能になり、検索、選択、決定を簡単な操作によって実現することが可能になる。
【００１９】
また、番組の記号、または番組を識別出来る識別子及びシーンの代表画面の表示は、意図的に行なわれるのではなく、記録媒体からのデータに基づいた共通手段によって行なわれるので、番組制作者の意図によって即ち記録媒体によって表示方法が変わる、操作方法が変わる等によって生じる不便を解消することができる。
【００２０】
勿論、代表画面の再生、表示は、その表示内容等が確認可能とするために、適宜変更等をすることが出来るものである。
【発明の効果】
【００２１】
本発明によれば、番組のそれぞれに与える記号、または番組を識別出来る識別子と選択された記号、または番組を識別出来る識別子の番組の有する複数のシーンの代表画面が画面に表示されるので、記録されている内容の一覧を容易に行なうことができ、見たい映像の選択と決定を簡単な操作によって実行することができる。
【００２２】
なお、選択した記号の番組を構成する複数のシーンの開始画面を縮小して前記画面中に分割して表示する手段について、縮小率は任意とし、全く縮小しないものも含むものとした場合は、番組を構成するある１つのシーンの代表画面を画面一杯に表示させた上に、番組を構成するその他のシーンの代表画面を重ねて表示させて、見たい映像の選択と決定の操作をすることも出来る。
【００２３】
また、縮小率を任意として番組を構成する複数のシーンの代表画面を前記画面中に表示する手段においては、番組を構成するシーンの代表画面が相互に重なり合う表示にさせて
、見たい映像の選択と決定の操作をすることも出来る。
【００２４】
さらに、選択してから決定した代表画面の縮小率を他の縮小率に変えて再生するものにも出来るから、代表画面の選択、決定に基いて、見たい映像を所望の大きさにて表示させることも出来る。
【００２５】
前記画面中に表示される代表画面(番組を構成するシーンのもの)は、必ずしも全てを縮小して、前記画面中に表示するもので無い手段としてもよい。即ち、任意のある１つの代表画面は、縮小することなくシーンを画面一杯に広げて表示させるものであっても良い。
【００２６】
更に、画面上にそのストリームを再生、表示することにより、そのストリームの全体、若しくは少なくとも一部の内容が把握でき、より選択し易くなる。
【００２７】
操作は、記録媒体によらずに共通であり、例えばディスクにおいては、ディスクによって操作方法が異なる場合の面倒を回避することができる。
【図面の簡単な説明】
【００２８】
【図１】本発明に係る情報再生装置及び情報記録再生装置の第１の実施例を説明するためのブロック構成図。
【図２】実施例で使用するリモコンを説明するための釦配置図。
【図３】第１の実施例における映像の選択画面の例を示す図。
【図４】本発明の選択画面表示プログラムによる処理を説明するためのフローチャート図。
【図５】マルチアングルの選択画面の例を示す図。
【図６】音声情報の選択画面の例を示す図。
【図７】本発明の第２の実施例を説明するためのブロック構成図。
【図８】本発明の第３の実施例における映像の選択画面の例を示す図。
【図９】本発明の第６の実施例における映像の選択画面の例を示す図。
【図１０】本発明の第７の実施例における映像の選択画面の例を示す図。
【図１１】本発明の第７の実施例の処理アルゴリズムを説明するためのフローチャート図。
【図１２】本発明の第７の実施例のタイトル選択画面及びチャプタ選択画面における動作を説明するためのフローチャート図。
【図１３】本発明の第７の実施例における映像の選択画面の例を示す図。
【図１４】本発明の第７の実施例における映像の選択画面の例を示す図。
【図１５】本発明の実施例における代表画面、または開始画面の例を説明するための図。
【図１６】本発明の実施例における代表画面、または開始画面の例を説明するための図。
【図１７】本発明の実施例における代表画面、または開始画面の例を説明するための図。
【図１８】本発明の実施例における代表画面、または開始画面の例を説明するための図。
【発明を実施するための形態】
【００２９】
以下、本発明に係る情報再生装置及び情報記録再生装置を図面に示した幾つかの実施例による発明の実施の形態を参照して更に詳細に説明する。なお、図１〜図１８における同一の記号は、同一物又は類似物を表示するものとする。
【００３０】
＜実施例１＞
本発明をＤＶＤシステムの再生装置に適用して実施した一実施例を説明する。
【００３１】
なお、以下の実施例では、代表画面としてシーンの開始に表示される開始画面、または代表小画面を用いて説明する。
【００３２】
図１において、１は、指定したアドレスに対応するディスク上の位置から情報信号を再生するドライバ部、２は、ドライバ部１が出力する情報信号を一時記憶するバッファ部、３は、バッファ部２からの情報信号を映像及び音声毎に復号するデコーダ部、４は、デコーダ部３の動作中データを記憶するランダムアクセスメモリ（以下「ＲＡＭ」という）、５
は、デコーダ部３出力の映像のディジタル信号をアナログ信号に変換するディジタル・アナログ変換器（以下「Ｄ／Ａ変換器」という）、６は、Ｄ／Ａ変換器５からの映像アナロ
グ信号を画面に表示する表示装置、７は、デコーダ部３が出力する音声のディジタル信号をアナログ信号に変換するＤ／Ａ変換器、８は、ＤＡ変換器７からの音声アナログ信号を再生するスピーカを示す。
【００３３】
更に、同図において、９は、ドライバ部１、バッファ部２及びデコーダ部３の動作を制御するシステム制御部、１１は、ユーザの指示入力によって制御信号を発生し、同制御信号をシステム制御部９に伝送するユーザインタフェース部、１２は、システム制御部９の動作手順を指示するプログラム及びデータを予め格納したリードオンリーメモリ（以下「
ＲＯＭ」という）、１３は、システム制御部９の動作中データを記憶するＲＡＭを示す。
ドライバ部１、バッファ部２、デコーダ部３、システム制御部９、ユーザインタフェース部１１、ＲＯＭ１２及びＲＡＭ１３は、バス線１０によって相互に接続されている。
【００３４】
デコーダ２は、映像信号の復号に際して画面の大きさを縮小する機能を有するものを使用した。
【００３５】
ＲＯＭ１２には、システム制御部９のための通常の制御プログラムや制御データのほか
、本発明による選択画面表示プログラム１２１と、再生する映像に重ねて表示する画面〔
以下「ＯＳＤ（On Screen Diplay）画面」という〕のデータがＯＳＤデータ１２２として格納されている。また、後で詳述するが、ＲＡＭ１３には、ディスクに記録されている映像のタイトルの再生開始位置を示すアドレスデータとチャプタの再生開始位置を示すアドレスデータを記憶するアドレスデータ領域１３１と、画面表示のためにビットマップデータに変換されたＯＳＤデータを記憶するＯＳＤワーク領域１３２が設けられている。更に
、ＲＡＭ４には、ＯＳＤビットマップデータと映像のデータとを合成してなる選択画面のデータを収容する表示画面領域４０１が設けられている。
【００３６】
ユーザインタフェース部１１は、ユーザが指示を入力するリモートコントロールユニット（以下「リモコン」という）と、リモコンが生成する制御信号を再生装置に伝えるための赤外線伝送路とからなる。リモコンの入力釦の配置を図２に示す。
【００３７】
リモコン２０１の入力釦は、ディスクの再生を行なわせるための再生釦２２、見たい映像を選択するときに使用する一覧釦２３、一覧釦２３を押して表示される画面（選択画面
）から映像を選択して決定するための決定釦２５、映像再生を停止するための停止釦２６
、マルチアングル画面を選択するときに使用するアングル釦２８、音声の再生条件を選択するときに使用する音声釦２９、一覧釦２３及びアングル釦２７並びに音声釦２８のいずれかを押したときに表示される画面の中の映像や記号を選択するときに使用するカーソル釦２７からなる。ユーザ指示による制御信号は、ユーザがこれらの釦を押すことによって発生する。また、カーソル釦２７には、選択する部分を画面上で矢印に従って上下、左右に移動させるための釦が置かれる。なお、その他に、見たい映像のアドレスが初めから分かっていて、そのアドレスを入力して映像を再生させるための頭出釦２４、記録を開始するための記録釦３０が付属している。
【００３８】
本発明の選択画面表示プログラム１２１（図１参照）を起動して得られる選択画面の一例を図３に示す。選択画面１７には、ディスクに収容されているタイトルのそれぞれの記号が画面上部の枠(以下「タグ」という)１８に番号で示され、タイトルが有する各チャプタの開始画面１９が縮小されて配置される。以下、縮小された画面を小画面という。この例においては、タイトル数が３で、２番目のタイトルが選択され、そのタグ１８ｂの輝度が上がっている。そして、同タイトルが有する９個のチャプタの小画面１９ａ〜１９ｉが表示され、その２番目１９ｂが選択されてている。また、表示可能なタグの数は４であるが、タイトル数が３であるので、４番目のタグ１８ｄは無記入になっている。小画面以外の、タグ１８とそこに表示される数字、小画面１９ａ〜１９ｉのチャプタ番号（ＣＨ１〜ＣＨ９）及び小画面を仕切る境界線がＯＳＤ画面である。
【００３９】
次に、本発明の選択画面表示プログラム１２１に従ってシステム制御部１１が実行する処理を図４に示したフローチャートを参照して説明する。処理は、ＤＶＤディスクに記録されている映像の全タイトル及び全チャプタの再生開始位置を示すアドレスデータがＲＡＭ１３のアドレスデータ領域１３１に記憶されてから開始する。これらのアドレスデータの記憶は、再生装置に電源が投入されてディスクが装填され、続いてリモコン２０１の再生釦２２が押されると行なわれるものとしても良い。アドレスデータは、デコーダ３（図１参照）を経ずにバッファ２から直接得られる。
【００４０】
なお、以下では、デイスクに収容されているタイトルの番号をｎ、同タイトルの有するチャプタの番号をｍで表わす。
【００４１】
ユーザがリモコン２０１の一覧釦２３を押すと（Ｓ４１）、画面に表示されるタグ数（
図３の例では４）のＯＳＤ画面データがＲＯＭ１２のＯＳＤデータ１２２から取り出され
、画面表示のためのビットマップデータに変換されてからＲＡＭ１３のＯＳＤワーク領域１３２に転送される（Ｓ４２）。格納された同ＯＳＤ画面データは、続いてデコーダ３に
送られる（Ｓ４３）。デコーダ３は、受けたデータを表示画面領域４０１に収める（Ｓ４
４）。このときデコーダ３には、ディスクに記録されているタイトルの数と、選択画面に
採用する小画面映像の輝度レベルの規定値が知らされる。再生が開始されて上昇する輝度レベルが規定値に達したとき、そのときの小画面映像がチャプタの開始画面として選択画面に採用される。また、デコーダ３は、知らされたタイトル数に基づいてタグに順にタイトル番号の数字を入れ、そのデータを表示画面領域４０１に収容する。なお、タイトル番号を表わす記号を数字にしたのは一例であって、意図に応じてその他の任意の記号、または番組を識別出来る識別子や簡単な名称を採用可能であることは云うまでもない。
【００４２】
続いて、最初のタイトル（ｎ＝１）の最初のチャプタ（ｍ＝１）のアドレスデータがアドレスデータ領域１３１から取り出されてドライバ部１とデコーダ部３に送られる（Ｓ４５）。ドライバ部１は、アドレスデータに対応するディスクの再生開始位置から情報の再
生を開始する（Ｓ４６）。デコーダ３は、再生信号の映像を縮小し、その小画面映像デー
タを表示画面領域４０１に収める。このとき、小画面映像が選択画面においてチャプタ番号（ｍ＝１）に対応する位置（図３の１９ａ）に置かれるよう、小画面映像データは、表示画面領域４０１の所定の位置に収められる。また、デコーダ３は、タイトル１のタグの輝度上げのデータを表示画面領域４０１に収める。
【００４３】
その後、同様の処理によって次のチャプタ（ｍ＝２）の小画面映像をチャプタ番号の位置（同図の縮小画面１９ｂ）に配置し、そのデータを表示画面領域４０１に収める。このようにして、各チャプタの小画面がそれぞれの位置に置かれ、最初のタイトルの選択画面が表示画面領域４０１において完成する（Ｓ４７）。
【００４４】
次に、ユーザがカーソル釦２７を押して数字ｎのあるタグ、即ちｎ番目のタイトルを選択した場合（Ｓ４８）、そのタイトルの各チャプタの小画面がそれぞれの位置に置かれ、
処理Ｓ４５〜処理Ｓ４７が行なわれて選択されたタイトルの選択画面が完成する。
【００４５】
ユーザは、カーソル釦２７を操作して画面を選択すると（Ｓ４９）、選択された画面の
境界線が太線になり、選択されたことが明示される。
【００４６】
前記したように、図３は、ｎ＝２が選択され、ｍ＝２が選択された場合の選択画面を示している。ユーザの見たい映像がこのチャプタである場合、ユーザは、リモコン２０１の決定釦２５を押す。それによって選択操作解除のコマンドがデコーダ部３に送られ、同チャプタのアドレスデータがドライバ部１に送られる（Ｓ５０）。
【００４７】
同コマンドを受けたデコーダ部３は、ＯＳＤ画面データを消去すると共に画面縮小の操作を解除し、一方、ドライバ部１は、対応するチャプタの情報を再生する。これによって画面一杯にチャプタの映像が表示され（Ｓ５１）、処理が終了する。
【００４８】
本実施例はＤＶＤディスクを対象としたが、本発明は、それに限らず、番組データを予め記録したものであれば、その他のデイスク、更にはテープ状の記録媒体、メモリ等の半導体による記録媒体に適用可能であり、同様の効果を得ることができる。
【００４９】
前記した選択画面は、番組データの記録されているどの記録媒体に対しても共通に得られるものであり、従って本発明によって、ユーザは、見たい番組の選択を共通の操作によって行なうことが可能になる。
【００５０】
また、タイトル毎に複数チャプタを一覧することができ、更に、釦操作によって直ちにタイトルの選択が行なわれるので、ディスクに収録されている番組の全体、若しくは少なくとも一部の構成を容易に知ることができる。
【００５１】
なお、本発明の複数の縮小画面の表示と釦操作による画面選択の手段は、マルチアングル画面の選択や音声再生、言語の選択等の再生条件の選択に適用することができる。マルチアングル画面は、番組制作者の意図によってチャプタの中に設けられる。その場合は、マルチアングルが用意されていることがチャプタの画面の中に表示され、マルチアングル画面のアドレスデータがディスクから出力される。
【００５２】
ユーザが、マルチアングル有の表示を見てリモコン２０１（図２参照）のマルチ釦２８を押すと、選択画面表示プログラム１２１は、チャプタをマルチアングル映像に置き換えて前記処理Ｓ４１〜Ｓ５１を実行し、縮小したマルチアングル画面の複数を画面に配置して表示する。そのような画面（選択画面）の例を図５に示す。
【００５３】
ユーザがカーソル釦２７を操作して見たいアングル画面を選択し（太線で囲まれる）、
決定釦２５を押すと、その画面が表示画面一杯に広がって再生される。
【００５４】
また、再生条件の選択も、各種条件のデータがデイスク再生開始時に出力されるので、上述の手段により、複数の条件を画面に表示することができ、その選択と決定によって選択の操作を行なうことができる。
【００５５】
再生条件の選択が複数種類の音声の選択である場合の選択画面の例を図６に示す。音声の種類が音声情報によって区別して表示されている。同画面によってディスクにどのような音声情報が在るのかを一覧することができ、希望の音声情報を迅速に選択することができる。図６では、ＤＶＤディスクの音声方式に関する国際標準であるリニアＰＣＭの２方式、ドルビー方式ＡＣ３、ＭＰＥＧが音声情報として表示され、その内の一つであるドルビー方式ＡＣ３が選択されている。
【００５６】
次に、決定釦２５が押されると、ドルビー方式ＡＣ３による音声が再生される。
【００５７】
その他、本発明の前記手段を用いることによって、上記タイトルを各種の再生条件の項目（例えば音声方式、言語、再生モードなど）に代え、項目毎にその各条件を小画面にして画面に表示することが可能であり、各種の再生条件の一覧、選択、決定を前記と同じ簡単な操作で行なうことができる。
【００５８】
＜実施例２＞
再生装置に情報記録の機能を付加し、記録した情報の再生に際して実施例１の場合と同様の選択操作を行なえるようにした実施例を図７に示す。同図では、複雑さを避けるため
、再生側の構成の図示を省略した。
【００５９】
本実施例においては、選択画面表示プログラム１２１に記録データの保存をシステム制御部９に行なわせるプログラムを追加し、更に、ＲＯＭ１２には書き込み可能なものを採用し、記録データの保存先である記録データ領域１２３をＲＯＭ１２に設けている。
【００６０】
カメラを用いて映像の記録を行なう場合、カメラ７４からの映像信号は、映像Ａ／Ｄ変換器７２を介してディジタル映像信号となり、また、マイクロホン７５からの音声信号は
、音声Ａ／Ｄ変換器７３を介してディジタル音声信号となり、両ディジタル信号がエンコーダ７１で符号化されてからドライバ部１によってディスクに記録される。記録は、図２に示したリモコン２０１の記録釦３０が押されることによって開始される。記録を始めるディスク上の位置は、ディスクから取出す位置情報のアドレスデータによって示されるので、システム制御部９は、そのアドレスデータを記録データ領域１２３に格納する。
【００６１】
なお、映像をタイトルとそれに含まれるチャプタで構成する場合は、タイトルの開始位置のアドレスデータを合わせて格納する。
【００６２】
記録データ領域１２３の内容は、再生の開始時に得られるアドレスデータ領域１３１の内容とほぼ同様であり、再生の際は、記録データ領域１２３のデータを用いることによって実施例１の処理Ｓ４１〜Ｓ５１を実行し、実施例１の場合と同様に見たい映像の選択を行なうことができる
なお、記録データ領域１２３に格納するデータは、ディスクの空き領域に纏めて記録することが可能である。ディスクを他の情報記録再生装置や情報再生装置
で再生する場合に、記録データをディスクから得るように修正した前記選択画面
表示プログラム１２１を備えることにより、上記と同じ選択画面を生成すること
が可能になる。
【００６３】
＜実施例３＞
情報記録再生装置とカメラからなる組み合わせシステムの使い方の例として、例えば一般ユーザの場合、結婚式、旅行、運動会等の各種の行事を記録にとどめて置く使い方がある。リモコン２０１の記録釦３０（図２参照）を押して記録を始め、次に停止釦２６を押して記録を止めて出来る一繋がりのシーンをストリームと云うこととすると、普通、複数のストリームで一つの纏まった記録になる。
【００６４】
この一つの纏まった記録を映像プログラムと云うこととすると、映像プログラムは、行事、年月日、日時、場所等が記録の単位となる。どの単位とするかはユーザの希望による
。単位を年月日、日時とする場合は、情報記録再生装置に通常内蔵される時計から時間データを得、同データをその映像プログラムを表わす記号とする。単位を行事、場所等とする場合は、図示しないが、リモコン２０１に文字釦を設け、ユーザがここから行事、場所等の名称（簡略化した名称でもよい）を入力し、それを映像プログラムを表わす記号とする。
【００６５】
本実施例においては、上記の複数のストリームからなる映像プログラムを記録し、記録したプログラムを再生する場合に映像プログラム毎にその複数ストリームの代表小画面を画面にして表示し、得られた選択画面の中から希望の代表小画面を選択してそのストリームを画面全体に拡大して再生する。
【００６６】
本実施例を実現するために、図７に示したエンコーダ部７１及び図７では図示を省略したデコーダ部の双方を少なくともＩピクチャを生成する画像圧縮符号化方式によるものとし、更に、図７に示した選択画面表示プログラム１２１に次の処理をシステム制御部９に行なわせるプログラムを追加した。
【００６７】
記録の場合の処理は、映像プログラム毎にユーザによる前記記号のデータをＲＯＭ１２の記録データ領域１２３(図７参照)に格納することである。そのとき、映像プログラムのディスク上の開始位置のアドレスデータを同時に格納する。更に加えて、ストリームのディスク上の開始位置のアドレスデータを記録データ領域１２３に格納することである。同アドレスデータは、ストリームを記録するために記録釦３０を押したときにディスクから得られるアドレスデータである。
【００６８】
再生の場合の処理は、一覧釦２３が押されたときにＯＳＤ画面を表示し、同画面の選択画面のタグに記録データ領域１２３に格納してある映像プログラムの記号を表示すること
、記録データ領域１２３に格納されている映像プログラムの記号データとアドレスデータ及びストリームのアドレスデータをもとに映像プログラム毎にその映像プログラムが有するストリームを順に再生すること、選択画面に表示する代表小画面としてストリームの最初のＩピクチャを採用すること、及びＩピクチャを表示したら直ちに次のストリームの再生を開始することである。
【００６９】
国際標準として定められている画像圧縮符号化方式のＭＰＥＧ１，ＭＰＥＧ２等においては、映像は、Ｉピクチャ、Ｐピクチャ、Ｂピクチャの３種類のフィールド画面によって組立てられる。この内Ｉピクチャは、圧縮符号化がその画面の中だけで行なわれ、独立して静止画面として存在し得るものである。Ｉピクチャは、デコーダ部３から得ることができる。
【００７０】
本実施例によって得られる選択画面の例を図８に示す。タグは、月日で表示され、１月１日の映像プログラムの複数ストリームのそれぞれの最初のＩピクチャが縮小されて代表小画面として表示され（Ｓ１〜Ｓ９）、４番目の代表小画面Ｓ４が選択されている。決定
釦２５を押して見たい画面を設定してから以降は、実施例１の場合と同じように、そのストリームが最初から画面全体に再生される。
【００７１】
なお、記録データ領域１２３に格納する各種のデータは、ディスクの空き領域に記録することが可能である。ディスクを他の情報記録再生装置や情報再生装置で再生する場合に
、各種のデータをディスクから得るように修正した前記選択画面表示プログラム１２１を備えることにより、上記と同じ選択画面を生成することが可能になる。
【００７２】
また、リモコン２０１の各釦は、カメラの側面又は裏面に備えることが可能である。カメラの操作が容易となる。
【００７３】
＜実施例４＞
ストリームの代表小画面を実施例３の場合のＩピクチャに代えてユーザの選択した画面を代表小画面にした実施例を以下に説明する。映像プログラムとなる複数のストリームをディスクに記録してから、これらストリームを再生し、代表小画面としたい画面が表われたときにリモコン２０１の決定釦２５を押す。ストリームの再生開始時間から決定釦２５が押されるまでの時間は、情報記録再生装置が通常備えるタイマによって計測することが可能である。その時間が代表小画面を取り出すためのデータとなる。
【００７４】
本実施例の選択画面表示プログラム１２１は、実施例３のプログラムに対して次の処理をシステム制御部９に行なわせるように修正されている。
【００７５】
記録時に代表小画面となる画面の前記時間によるデータを記録データ領域１２３又はディスクの所定の空き領域に格納する。再生時に記録データ領域１２３又はディスクの空き領域に格納したデータをもとに代表小画面を選択画面に分割して表示する。
【００７６】
なお、代表小画面は、ユーザ選択のもののみとするだけでなく、ストリームによってはＩピクチャとしてもよく、いずれにするかをユーザの指示とすることが可能である。逆に
、代表小画面を全てユーザ選択のものとする場合は、圧縮符号化方式としてＩピクチャを発生しない方式を採用することも可能であることは云うまでもない。
【００７７】
＜実施例５＞
ストリームの代表小画面をユーザがストリーム毎に別途制作した静止画又は文字画像とし、これをディスクに記録するようにした実施例を以下に説明する。
【００７８】
静止画は、カメラを静止画モードとすることの他、静止画専用のカメラ（例えば電子スチルカメラ）、スキャナ等を用いて制作可能であり、文字画像は、キーボードからの入力
によって制作することができる。
【００７９】
本実施例においては、記録データ領域１２３又はディスクの空き領域に静止画又は文字画像の収容が可能な大きさの領域を設けるとともに静止画又は文字画像を該当のストリームに対応させるテーブルを設ける。
【００８０】
本実施例の選択画面表示プログラム１２１は、実施例３のプログラムに対して次の処理をシステム制御部９に行なわせるように修正されている。
【００８１】
複数のストリームからなる映像プログラムを撮り終えた後、対象とするストリーム用の静止画又は文字画像を制作し、前記空き領域に格納する。このとき、前記テーブルにデータを記録するために同領域をデータ待機状態にする。続いて、実施例２に述べたようにディスクの再生を行ない該当する映像プログラムの選択画面を表示し、対象とするストリームの小画面を選択して決定釦２５を押す。データ待機状態で決定釦２５が押される場合は
、ストリームの再生を行なうのでなく、画面を決定して得られるストリームの開始位置アドレスデータが待機中の領域に送られる。アドレスデータは、格納した静止画又は文字画像を対応するストリームに関係付けるデータとしてテーブルに記録され、待機状態が解除される。
【００８２】
この様にしてストリーム毎に静止画又は文字画像の関係付けを行ない、テーブルを完成させる。
【００８３】
再生時には、ストリームのアドレスデータが取得されるので、テーブルを使ってそのデータから該当する静止画又は文字画像を取り出し、代表小画面として選択画面に表示する
。
【００８４】
なお、本実施例の場合も、圧縮符号化方式として、Ｉピクチャを発生しない方式を採用することが可能であることは云うまでもない。
【００８５】
＜実施例６＞
複数のストリームを束ね、そこから１個の代表小画面を得るようにした実施例を以下に説明する。この場合には、束ねた複数のストリームをサブプログラムとし、複数のサブプログラムをもって一つの映像プログラムとする。即ち、ストリーム、サブプログラム、映像プログラムの多層構造とする。
【００８６】
本実施例においては、サブプログラムを構成する度にサブプログラムに記号を付す操作を行ない、同サブプログラムのストリームを再生してユーザが代表小画面を１個選択する
。
【００８７】
本実施例の選択画面表示プログラム１２１は、実施例３のプログラムに対して次の処理をシステム制御部９に行なわせるように修正されている。
【００８８】
ディスクの再生を実施例２に述べたように行ない、該当する映像プログラムの選択画面を表示する。次に、これから作るサブプログラムに与える記号を設定する。記号は、番号
、日時等の時間、行事、場所等の中からユーザによって選択され、ユーザの釦操作によって記号が入力されて記号のデータが定められる。続いて、ユーザが選択画面からサブプログラムに含めたいストリームを選択して決定釦２５を押す。サブプログラムに含めるストリームの選択、決定が終了したら、決定釦２５を２度押す。この２度押をサブプログラム完成表わす操作とする。
【００８９】
サブプログラムが完成するまでに、映像プログラムの記号のデータ及びその開始位置のアドレスデータ、サブプログラムの記号のデータ、サブプログラムの有する複数ストリームのそれぞれの開始位置のアドレスデータが相互に関係付けて記録データ領域１２３又はディスクの空き領域に格納される。続いて、完成したサブプログラムに対応する複数ストリームを再生し、ユーザが希望の代表小画面を１個選択して決定する。その代表小画面のデータは、実施例４の場合と同様、ストリームの開始時点からの時間で示される。時間データは、上記各データに関係付けて格納される。
【００９０】
このようにして格納された関係付けデータを用いることにより、サブプログラムによる選択画面を表示することが可能になる。選択画面は、図８と類似のものとなり、その一例を図９に示す。代表小画面上の符号ＳＵＢは、サブプログラムであることを示し、そこにユーザ選択による代表小画面が表示される。表示する符号は、ＳＵＢの他にサブプログラムに与えた記号とすることが可能である。
【００９１】
ユーザが希望の代表小画面を選択して決定すると、そのサブプログラムに含まれるストリームが順次再生される。
【００９２】
その他に、上記関係付けデータを用いることにより、タグにサブプログラムの記号を表示し、サブプログラム毎にその複数ストリームを選択画面として表示することが可能である。
【００９３】
本実施例は、映像プログラムを構成するストリームの数が非常に多数となる場合に有用である。
【００９４】
なお、本実施例の場合も、圧縮符号化方式として、Ｉピクチャを発生しない方式を採用することが可能であることは云うまでもない。
【００９５】
これとは逆に、圧縮符号化方式として、Ｉピクチャを発生する方式を採用し、代表小画面をユーザが選択するのでなく、選択したストリームの最初のＩピクチャを代表小画面とすることが可能である。
【００９６】
また、代表小画面を表示する画面そのものを１個の映像ファイルとすることもできる。
【００９７】
更に、ストリームの代表小画面をそのストリームの中又はそのストリームの近傍に配置し
、ストリームとその代表小画面を１対１に対応させて、各ストリームの代表小画面を集め
、選択画面を構成することもできる。この場合は、ストリームを削除したり追加したりしたときでも、各ストリームの代表小画面を集めて選択画面を新規に構成するので、選択画面を１個の映像ファイルにした場合に比べて、ストリームの追加や削除を容易に行なうことができる効果がある。
【００９８】
＜実施例７＞
本発明の選択画面表示プログラム１２１（図１参照）を起動して得られる選択画面の別の実施形態例を図１０に示す。
【００９９】
選択画面１７には、ディスクに収容されているタイトル数に応じて記号が画面上部の枠(
以下「タグ」という)１８に番号で示され、各タイトルの代表画面１９が表示される。こ
の例においては、ディスクが有するタイトル数が１８で、タイトル番号１からタイトル番号９までの９個のタイトルの代表画面１９ａ〜１９ｉが表示されている。
【０１００】
そして、その２番目のタイトル番号２（１９ｂ）が選択されていることを示す為、そのタイトル番号２の表示輝度が上がっている（ハイライト表示部６２）。
【０１０１】
選択されたタイトル番号と、そのタイトル内のチャプタ総数については、詳細表示部６３にて表示する。
【０１０２】
この例においては、１画面に表示可能なタグの数は４にしているから、１８のタイトル数の表示には、例えば、１番目のタグにタイトル番号１〜９を割当て、２番目のタグにタイトル番号１０〜１８を割当てることで表示出来る。従って、この例においては、３番目及び４番目のタグは表示していないが、例えば、タグ枠を表示して、タイトル番号を記載しないなど、表示法は適宜変更してよいことは言うまでもない。
【０１０３】
小画面以外の、タグ１８とそこに表示される数字、小画面１９ａ〜１９ｉのタイ
トル番号（Title１〜Title９）及び小画面を仕切る境界線がＯＳＤ画面である。
【０１０４】
次に、本発明の選択画面表示プログラム１２１に従ってシステム制御部１１が実
行する処理を図１１に示したフローチャートを参照して説明する。
【０１０５】
処理は、例えば、ＤＶＤディスクに記録されている映像のタイトル及びチャプタ
の再生開始位置を示すアドレスデータがＲＡＭ１３のアドレスデータ領域１３１
に記憶されてから開始する。これらのアドレスデータの記憶は、例えば、再生装
置に電源が投入されてディスクが装填され、続いてリモコン２０１の再生釦２２
が押されると行なわれるものとしても良い。
【０１０６】
処理開始（Ｓ１１０）により、ユーザがリモコン２０１の一覧ボタン２３を押す
のを待つ（Ｓ１１１）。
【０１０７】
表示画面には、最大９個の代表画面が表示される。従って、ディスクに格納され
ているタイトル数が１０個以上の場合（Ｓ１１２）、タイトルを選択する為の選
択画面を表示する（Ｓ１１３）。
【０１０８】
このステップ（Ｓ１１３）の条件をつけずに、常にタイトル選択画面を表示して
実行することもできる。
【０１０９】
タイトル選択画面では、表示画面が表示するタイトル番号範囲を明示するタグ（
図１０の例では、タグ数は2個）を表示する。
【０１１０】
再生が開始されて代表画面映像が各タイトルの開始画面として選択画面に採用さ
れる。
【０１１１】
タイトル選択画面で、タイトルが選択されると（Ｓ１１４）、チャプタを選択す
る為のチャプタ選択画面を表示する（Ｓ１１５）。
【０１１２】
再生が開始されて代表画面映像が各チャプタの画面として選択画面に採用される
。チャプタ選択画面で、チャプタが選択されると（Ｓ１１６）、選択されたチャ
プタを再生し（Ｓ１１７）、処理を終了する（Ｓ１１８）。
【０１１３】
タイトル選択画面で選択されたタイトルのチャプタ数が１個しか無い場合は、チ
ャプタ選択画面を経由せず、直接そのタイトルの先頭から再生を開始しても良い
。
【０１１４】
タイトルもしくはチャプタを選択せずに、リモコン２０１の一覧釦２３を再度押
した場合は、選択画面を解除して、このリモコン２０１の一覧釦２３を押した時
点（選択画面を表示しする直前）の状態に戻る。
【０１１５】
図１２は、タイトル選択画面及びチャプタ選択画面における動作を説明したフロ
ーチャート図である。
【０１１６】
処理開始（Ｓ１４０）により、ユーザがリモコン２０１のカーソル釦２７が押さ
れるか（Ｓ１４１）、決定釦２５が押されるか（Ｓ１４３）を待つ。カーソル釦
２７が押されると、そのカーソル釦（上、下、左、右）に応じて、該当するタイ
トル選択画面の代表画面タイトル番号、またはチャプタ選択画面の代表画面チャ
プタ番号、もしくはタグの、表示輝度を上げ（ハイライト表示部）、選択されて
いることを明示する（Ｓ１４２）。
【０１１７】
３列目のタイトル番号、もしくはチャプタ番号選択時の、カーソル右釦に対して
は、次のタイトル選択画面、もしくはチャプタ選択画面が存在すれば、次のタイ
トル選択画面、もしくはチャプタ選択画面を表示し、１列目をハイライト表示部
とする。
【０１１８】
１列目のタイトル番号、もしくはチャプタ番号選択時の、カーソル左釦に対して
は、前のタイトル選択画面、もしくはチャプタ選択画面が存在すれば、前のタイ
トル選択画面、もしくはチャプタ選択画面を表示し、３列目をハイライト表示部
とする。
【０１１９】
１段目のタイトル番号、もしくはチャプタ番号選択時の、カーソル上釦に対して
は、タグをハイライト表示部とする。
【０１２０】
３段目のタイトル番号、もしくはチャプタ番号選択時の、カーソル下釦に対して
は、ハイライト表示部は移動しない。
【０１２１】
ハイライト表示部がタグの場合、カーソル右釦に対しては、右に有効なタグが存
在すれは、右のタグをハイライト表示し、そのタグに応じた表示画面とする。た
とえば、「タイトル１〜９」のタグから「タイトル１０〜１８」に移動した場合
、タイトル１０〜１８の各タイトルの画面を表示する。
【０１２２】
また、ハイライト表示部がタグの場合、カーソル左釦に対しては、左に有効なタ
グが存在すれは、左のタグをハイライト表示し、そのタグに応じた表示画面とす
る。
【０１２３】
ハイライト表示部がタグの場合、カーソル上釦に対しては、ハイライト表示部は
移動しない。
【０１２４】
ハイライト表示部がタグの場合、カーソル下釦に対しては、１段目のタイトル番
号、もしくはチャプタ番号を、ハイライト表示部とする。
【０１２５】
釦入力が１秒以上無い場合（Ｓ１４４）、ハイライト表示されているタイトル番
号もしくはチャプタ番号の映像を小画面のまま再生する（Ｓ１４５）。
【０１２６】
再生には、通常再生、コマ送り再生、スロー再生、コマとばし再生、早送り再生
、等の再生方法を使用する。なお、この再生が行なわれるのは、ハイライト表示
されているタイトル番号もしくはチャプタ番号の映像の小画面のみでなく、選択
画面１７に表示されている任意の小画面であってもよい。
【０１２７】
この小画面の再生は、音声付きで再生しても、音声無しで再生しても良い。
【０１２８】
本実施形態では、音声無しの早送り再生を行っている。
【０１２９】
また、各タイトル、もしくは各チャプタの最後まで再生した後、それぞれのタイトル、もしくはチャプタの開始位置から再度再生する（繰り返し再生）かどうかは、任意に設定できる。
【０１３０】
釦入力の時間制限については、０秒を含む任意の時間で良いことは、言うまでもない。
【０１３１】
決定釦が押されたら、ハイライト表示されているタイトル番号、もしくはチャプタ番号を選択したタイトル番号、もしくはチャプタ番号を決定し（Ｓ１４６）、処理を終了する（
Ｓ１４７）。
【０１３２】
なお、タグがハイライト表示されている時に、決定釦が押された場合は、タイトル番号、もしくはチャプタ番号が決定されていないが、本実施形態では、その選択画面における左上の小画面が選択されたものと判断する。
【０１３３】
上記実施例の図１０では、選択画面１７に対して、代表画面１９ａ〜１９ｉが小さなものとなっていたが、例えば、代表画面１９ａを選択画面１７と同じ大きさとするものであっても良い。その場合、他の代表画面１９ｂ〜１９ｉは、代表画面１９ａの上に重ねて表示されるものとなる。従って、図１０に示されるようなタグ１８が設けられないこともあるが、タグ１８は必須ではなく、タイトルを識別、選択可能な表示方法であれば他のものでもよい。
【０１３４】
上記の実施例の説明においては、開始画面が小画面として、選択画面に分割表示されるものとなっていたが、これに限定されるものではなく、複数の開始画面を任意の縮小率の小画面として、相互に重ねて表示させ、選択、決定に基いて画面一杯に再生、表示させるものでも良い。この一例を示しているのが図１３である。
【０１３５】
勿論、任意の１つの開始画面を表示画面一杯に表示させて、他の開始画面をその上に重ねて表示させるものであってもよい。この一例を示しているのが図１４である。
【０１３６】
また、代表画面、または、開始画面としては、画面一杯の大きさから切出したものも使用可能であり、その例を図１５〜図１８にて説明する。
【０１３７】
図１５は、画面一杯の大きさとしたものの中央を基準として、代表画面１９ａｓ、代表画面１９ａｍを切出したものである。
【０１３８】
図１６は、画面一杯の大きさとしたものの右下角を基準として、代表画面１９ａｓ、代表画面１９ａｍを切出したものである。なお、基準とする位置は、右下角に限らず、左下角、右上角、左上角であってもよい。
【０１３９】
図１７は、選択画面１７に表示する代表画面１９ａとして、図１６の代表画面１９ａｍを用いたものであり、切出した大きさをそのまま使用している例である。
【０１４０】
図１８は、選択画面１７に表示する代表画面１９ａとして、図１６の代表画面１９ａｍを用いたものであるが、切出した大きさを拡大して使用している例である。
【０１４１】
図１７、図１８の説明では、図１６の代表画面１９ａｍにて説明したが、図１６の代表画面１９ａｓを用いても良いし、図１５の代表画面１９ａｍ、代表画面１９ａｓを用いても良い。
【０１４２】
上記説明では、画面の中央、右下角、左下角、右上角、左上角を基準として、切出しているが、これらの位置は、説明を簡単とするために基準として取上げたにすぎない。
【０１４３】
従って、基準とする位置は、これらの位置のみに限定されるものではなく、画面上の任意の位置を使用してよく、画面に表示される内容を確認出来るものとするために適宜設定可能である。よって、切出し画面は、画面に表示される内容を確認出来るものとして、任意の位置から、任意の大きさで切出し、さらに任意の大きさにて再生、表示可能である。
【０１４４】
また、記録媒体に記録されている複数の番組に対応する記号を画面に表示する手段においては、番組に対応する記号を記号のみに限定するものではなく、番組を識別可能とする識別子若しくは、表示方法、さらには、番組に対応する画面を用いるなど、番組を識別可能とするものであればよい。
【０１４５】
さらには、記録媒体に記録されている複数の番組に対応する記号を画面に表示する手段においては、必ずしも記号を画面表示するものとしなくても良い。例えば、記録媒体に記録されている複数の番組の選択が記号を用いなくても選択可能であるならば、番組に対応する記号を画面に表示する必要がない。従って、複数の番組に対応する記号を画面に表示する手段を設けないものとすることも可能である。
【０１４６】
上記ではＤＶＤディスクを対象としたが、本発明は、それに限らず、番組データを予め記録したものであれば、その他のデイスク、更にはテープ状の記録媒体、メモリ等の半導体による記録媒体に適用可能であり、同様の効果を得ることができる。
【０１４７】
また、上記説明において、ＯＳＤ画面を用いているが、これに限らず、選択画面、代表画面の提示、代表画面の選択動作等の本発明の効果を得ることが出来る画面の表示法であれば良いことは言うまでもない。
【符号の説明】
【０１４８】
１…ドライバ部、２…バッファ部、３…デコーダ部、４，１３…ＲＡＭ、９…システム制御部、１０…バス線、１１…ユーザインタフェース部、１２…ＲＯＭ、１２１…選択画面表示プログラム、１２２…ＯＳＤデータ、１２３…記録データ領域、１３１…アドレスデータ領域、１３２…ＯＳＤワーク領域、４０１…表示画面領域。
【図１】
2010102823.tif 000003
【図２】
2010102823.tif 000004
【図３】
2010102823.tif 000005
【図４】
2010102823.tif 000006
【図５】
2010102823.tif 000007
【図６】
2010102823.tif 000008
【図７】
2010102823.tif 000009
【図８】
2010102823.tif 000010
【図９】
2010102823.tif 000011
【図１０】
2010102823.tif 000012
【図１１】
2010102823.tif 000013
【図１２】
2010102823.tif 000014
【図１３】
2010102823.tif 000015
【図１４】
2010102823.tif 000016
【図１５】
2010102823.tif 000017
【図１６】
2010102823.tif 000018
【図１７】
2010102823.tif 000019
【図１８】
2010102823.tif 000020
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
記録媒体に記録されている複数の番組に対応する記号、または番組を識別出来る識別子を画面に表示する手段と、
表示されている記号、または番組を識別出来る識別子を選択する手段と、
選択した記号、または番組を識別出来る識別子の番組を構成する複数の代表画面を任意の縮小拡大率で縮小拡大、または切出して前記画面に表示する手段と、
表示されている複数の代表画面のいずれかを選択する手段と、
選択してから決定した代表画面のシーンを画面一杯の大きさに変えて再生する手段とを備えてなることを特徴とする情報再生装置。